(57)【要約】【課題】確認コピー時に、転写紙サイズの無駄をなくしてコストダウンを可能にする。【解決手段】画像データに基づいて画像を形成し転写紙に転写して出力するプリンタ部と、前記転写紙を収容して給紙に備える複数の給紙トレイと、前記各給紙トレイの転写紙サイズの設定が可能であり、前記出力に際し給紙を行う前記給紙トレイを選択し前記プリンタ部の制御を行う制御部を備え、制御部は、通常コピーモードと確認コピーモードを有し、通常コピーモード及び確認コピーモードに応じて給紙トレイの選択切り替えが可能で、確認コピーモード時に、通常コピーモード時に画像を転写する転写紙サイズより小さく、出力する画像転写領域以上の大きさを有する転写紙サイズが設定された給紙トレイに切り替える。転写紙サイズを無駄にしないでコストダウンでき、出力状態も確実に確認できる。【選択図】図５
2009294588.tif 000002
【特許請求の範囲】
【請求項１】
画像データに基づいて画像を形成し転写紙に転写して出力するプリンタ部と、前記転写紙を収容して給紙に備える複数の給紙トレイと、前記各給紙トレイの転写紙サイズの設定が可能であり、前記出力に際し給紙を行う前記給紙トレイを選択し前記プリンタ部の制御を行う制御部とを備え、
該制御部は、通常コピーモードと確認コピーモードとを有し、前記通常コピーモードおよび前記確認コピーモードに応じて前記給紙トレイの選択切り替えが可能であり、前記確認コピーモード時に、前記通常コピーモード時に画像を転写する転写紙サイズより小さく、かつ出力する画像転写領域以上の大きさを有する転写紙サイズが設定された給紙トレイに切り替えて出力可能とすることを特徴とする画像形成装置。
【請求項２】
前記制御部は、前記通常コピーモード時に画像を転写した転写紙を断裁する場合、断裁実施後の紙サイズの転写紙サイズが設定されている給紙トレイを選択することを特徴とする請求項１記載の画像形成装置。
【請求項３】
前記制御部は、前記通常コピーモード時の画像転写領域サイズと同じ転写紙サイズが設定されている給紙トレイを選択することを特徴とする請求項１記載の画像形成装置。
【請求項４】
前記制御部は、前記通常コピーモード時の出力設定がワイド紙サイズに指定されている場合、前記確認コピーモード時に、前記ワイド紙サイズに対応する定形サイズの転写紙サイズが設定されている給紙トレイを選択することを特徴とする請求項１記載の画像形成装置。
【請求項５】
前記確認コピーモード時の出力方法を設定する操作部を備えることを特徴とする請求項１〜４のいずれかに記載の画像形成装置。
【発明の詳細な説明】
【技術分野】
【０００１】
この発明は、画像データに基づいて形成した画像を転写紙に転写して出力する画像形成装置に関し、特に通常コピーモードおよび確認コピーモードを備える画像形成装置に関するものである。
【背景技術】
【０００２】
従来、画像データを用いて画像を形成し、該画像を転写紙上に転写して出力する画像形成装置においては、通常、ユーザにおいて印刷条件の設定が可能になっている。印刷条件としては、出力部数、片面、両面印刷の別や、印刷用紙サイズ、コピー倍率、コピー濃度、さらにステイプル、パンチなどの後処理方法等が挙げられる。このように印刷条件を設定した場合、ユーザは自分の意図している出力形態が得られるか否かを確認して、確認の結果、自分の意図するものと異なる場合には、印刷条件の再設定や修正を行いたいという要望がある。
【０００３】
従来、このような観点から、通常の出力を行う前などに、ユーザによる確認のための出力を可能にした画像形成装置が提案されており、上記確認のための出力機能を確認コピーモード、試しコピーなどと称している（以下、確認コピーモードとする）。これに対し、設定された印刷条件に従って、所定の印刷物を出力する機能を通常コピーモードと称している。
【０００４】
ところで、確認コピーに際し、通常コピーモードで特殊紙が選択されている場合に通常コピーモードで同じ特殊紙を使用すると、高価な特殊紙が無駄に消費される問題がある。このため、通常コピーモードで出力先として特殊紙が選択されていても、確認コピーモードでは普通紙に出力することでコスト低減を図ることができる画像形成装置が提案されている（特許文献１参照）。
【０００５】
ただし、通常コピーモードで出力先として特殊紙が選択されている場合に、確認コピーに際し普通紙を選択するようにしても、特殊紙と同じサイズの普通紙が給紙トレイにセットされていないと出力を行うことができない。このため、確認コピーモード時に、通常コピーモードと同サイズの転写紙がない場合、通常コピーモードで選択されている転写紙のサイズよりも大きなサイズの転写を選択して出力することによって、前記出力不可の発生を防止する画像形成装置が提案されている（特許文献２参照）。
【特許文献１】特開平８−１０１５４２号公報
【特許文献２】特開２００４−１３８６７３号公報
【発明の開示】
【発明が解決しようとする課題】
【０００６】
しかし、通常コピーモードで、転写紙に画像を転写した後、転写紙を断裁するような場合、確認コピーモード時に断裁を実施せず画像印字状態のみを確認したいときでも画像印字領域以外の白紙部分が含まれた転写紙サイズで出力され、必要以上の大きなサイズの転写紙が使用され、コスト的に無駄があるという問題がある。また、通常コピーモードで断裁を行わない場合でも、画像が縮尺されるなどして白紙部分を有して出力されるようなときには、画像印字状態のみを確認したいために確認コピーをしても、同じく白紙部分が含まれて出力されてしまい、白紙部分が無駄になる。
【０００７】
本発明は、上記事情を背景としてなされたものであり、確認コピーモード時に確認コピー用の適切な転写紙サイズに切り替えて出力することができ、転写紙サイズのコストダウンをはかることができる画像形成装置を提供することを目的とする。
【課題を解決するための手段】
【０００８】
すなわち、本発明の画像形成装置のうち第１の本発明は、画像データに基づいて画像を形成し転写紙に転写して出力するプリンタ部と、前記転写紙を収容して給紙に備える複数の給紙トレイと、前記各給紙トレイの転写紙サイズの設定が可能であり、前記出力に際し給紙を行う前記給紙トレイを選択し前記プリンタ部の制御を行う制御部とを備え、該制御部は、通常コピーモードと確認コピーモードとを有し、前記通常コピーモードおよび前記確認コピーモードに応じて前記給紙トレイの選択切り替えが可能であり、前記確認コピーモード時に、前記通常コピーモード時に画像を転写する転写紙サイズより小さく、かつ出力する画像転写領域以上の大きさを有する転写紙サイズが設定された給紙トレイに切り替えて出力可能とすることを特徴とする。
【０００９】
第２の本発明の画像形成装置は、前記第１の本発明において、前記制御部は、前記通常コピーモード時に画像を転写した転写紙を断裁する場合、断裁実施後の紙サイズの転写紙サイズが設定されている給紙トレイを選択することを特徴とする。
【００１０】
第３の本発明の画像形成装置は、前記第１の本発明において、前記制御部は、前記通常コピーモード時の画像転写領域サイズと同じ転写紙サイズが設定されている給紙トレイを選択することを特徴とする。
【００１１】
第４の本発明の画像形成装置は、前記第１の本発明において、前記制御部は、前記通常コピーモード時の出力設定がワイド紙サイズに指定されている場合、前記確認コピーモード時に、前記ワイド紙サイズに対応する定形サイズの転写紙サイズが設定されている給紙トレイを選択することを特徴とする。
【００１２】
第５の本発明の画像形成装置は、前記第１〜第４の本発明において、前記確認コピーモード時の出力方法を設定する操作部を備えることを特徴とする。
【発明の効果】
【００１３】
以上説明したように、本発明の画像形成装置によれば、画像データに基づいて画像を形成し転写紙に転写して出力するプリンタ部と、前記転写紙を収容して給紙に備える複数の給紙トレイと、前記各給紙トレイの転写紙サイズの設定が可能であり、前記出力に際し給紙を行う前記給紙トレイを選択し前記プリンタ部の制御を行う制御部とを備え、該制御部は、通常コピーモードと確認コピーモードとを有し、前記通常コピーモードおよび前記確認コピーモードに応じて前記給紙トレイの選択切り替えが可能であり、前記確認コピーモード時に、前記通常コピーモード時に画像を転写する転写紙サイズより小さく、かつ出力する画像転写領域以上の大きさを有する転写紙サイズが設定された給紙トレイに切り替えて出力可能とするので、確認コピーモード時に、通常コピーモードで使用する転写紙のサイズよりも小さく、画像が確実に転写される転写紙に出力することができ、転写紙サイズを無駄にすることがなくコストダウンを図ることができるとともに、出力状態を確実に確認することができる。
【発明を実施するための最良の形態】
【００１４】
以下に、本発明の一実施形態を添付図面に基づいて説明する。
図１は、画像形成装置全体の中央断面図であり、機械的な構成を示している。以下に、その構成を説明する。
画像形成装置１は、その上部側に、ＣＣＤ１３１を含むスキャナ部１３０、自動原稿給送装置（ＡＤＦ）１３３、原稿がセットされるプラテンガラス１３４、ＡＤＦ原稿読み取りスリットガラス１３５が設けられており、これらによって原稿読み取り部が構成されている。また、画像形成装置１の上部側で、プラテンガラス１３４が位置しない箇所に、操作部１４０が設けられて、操作者による操作が可能になっている。
【００１５】
また、画像形成装置１の下部側には、複数の給紙トレイ１５３（図では３段）が配置され、さらに画像形成装置１に付設するようにして同じく給紙トレイとなる大容量給紙トレイ１５４が配置されている。これら給紙トレイからは搬送路１５５が伸張している。搬送路１５５の途中にはＬＤ部１５１等の画像形成部が配置されている。ＬＤ部１５１の近傍には、感光体、帯電器、現像器、定着器などが配置されて画像形成部が構成されている。この画像形成部、前記搬送路１５５、給紙トレイ１５３、大容量給紙トレイ１５４などによってプリンタ部１５０が構成されている。画像形成部の下流側には、排紙域に後処理装置（ＦＮＳ）１７０が設置されており、画像形成がなされた転写紙に所望の後処理（ステープル、パンチ、断裁など）を行えるようになっている。後処理装置１７０の下流側に、複数の排紙先としてメイントレイ１７２、サブトレイ１７３が備えられている。
【００１６】
図２は、画像形成装置１の回路ブロックを示す図であり、その内容を以下に詳細に説明する。
画像形成装置１は、制御ブロック１００とスキャナ部１３０と操作部１４０とプリンタ部１５０とを有するデジタルコピア本体と、図示しないＬＡＮを通して外部機器から入力される画像データを処理し、またはスキャナ部１３０で得た画像データを外部機器に転送可能にする画像処理手段１６０とを備えている。
【００１７】
制御ブロック１００には前記画像処理手段１６０に接続されたＰＣＩバス１０３を有しており、該ＰＣＩバス１０３にＤＲＡＭ制御ＩＣ１１１が接続されている。ＤＲＡＭ制御ＩＣ１１１には、圧縮メモリ１２１とページメモリ１２２とからなる画像メモリ１２０が接続されている。
【００１８】
また、制御ブロック１００には、画像処理ＣＰＵ１０１を備えており、該画像処理ＣＰＵ１０１に前記ＤＲＡＭ制御ＩＣ１１１が接続されている。
また、画像処理ＣＰＵ１０１には、不揮発メモリ１０２が接続されている。該不揮発メモリ１０２には、上記画像処理ＣＰＵ１０１を動作させるためのプログラムや画像形成装置１の初期印刷設定情報や、プロセス制御パラメータ等の機械設定情報、ユーザ設定値、各給紙トレイの用紙情報（用紙サイズ、紙種など）の設定データなどが格納されている。画像処理ＣＰＵ１０１は、該不揮発メモリ１０２の不揮発データを読み取り可能であり、また、所望のデータを不揮発データとして該不揮発メモリ１０２に書き込むことが可能である。画像処理ＣＰＵ１０１は、上記機械設定情報や印刷設定情報に従って画像形成装置１の各部を動作制御する。画像処理制御ＣＰＵ１０１は、画像形成装置１全体を制御するものであり、本発明の制御部に相当する。
【００１９】
さらに、画像処理ＣＰＵ１０１には、他の画像形成装置から収集した装置情報を記録して管理する装置情報管理部１０４が接続されている。装置情報管理部１０４は、装置情報をデータとして格納する不揮発メモリや他の記憶装置とこれらを制御する制御部とによって構成することができ、装置の動作履歴、調整値、ユーザー設定値等の装置情報を記憶、表示、あるいは印字制御する。画像処理ＣＰＵ１０１は、必要に応じて装置情報管理部１０４にアクセスして必要な装置情報を取り出したり、書き出したりすることができる。
【００２０】
また、画像処理ＣＰＵ１０１には、通信制御部１０５が接続されており、ＮＩＣ（ネットワークインターフェースカード）１０６を通して図示しないＬＡＮに接続可能とされている。通信制御部１０５は、画像処理ＣＰＵ１０１の動作指令によって動作し、予め定められた通信手順によって画像処理ＣＰＵ１０１から受け渡されるデータをＮＩＣ１０６を通してＬＡＮに送出し、またＬＡＮから送られるデータをＮＩＣ１０６を通して受信し、画像処理ＣＰＵ１０１に送出することができる。
【００２１】
次に、前記スキャナ１３０は、光学読み取りを行うＣＣＤ１３１と、スキャナ１３０全体の制御を行うスキャナ制御部１３２とを備えている。スキャナ制御部１３２は、前記画像処理ＣＰＵ１０１とシリアル通信可能に接続されている。また、前記ＣＣＤ１３１は、該ＣＣＤ１３１で読み取った画像データを処理する読み取り処理部１１６に接続され、該読み取り処理部１１６には画像データを圧縮処理する圧縮ＩＣ１１７が接続され、該圧縮ＩＣ１１７は前記したＤＲＡＭ制御ＩＣ１１１に接続されている。
【００２２】
前記操作部１４０は、表示画面と操作画面とを兼ね、ＬＣＤで構成されるタッチパネル１４１と、操作部全体を制御する操作部制御部１４２とを備えており、該操作部制御部１４２は前記画像処理ＣＰＵ１０１にシリアル通信可能に接続されている。操作部１４０では、画像処理ＣＰＵ１０１の制御を受けて、タッチパネル１４１によって、画像形成装置１における印刷設定や動作制御条件などの機械設定入力、出力に関する設定入力や、設定内容の表示、所望の情報等の表示が可能になっている。さらには、各給紙トレイの転写紙情報の設定（サイズ、紙種）や、出力モード設定（例えば通常コピーモード、確認コピーモード）、確認コピーモード時の出力方法の設定などが可能になっている。
【００２３】
また、前記ＤＲＡＭ制御ＩＣ１１１には、圧縮された画像データを伸張する伸張ＩＣ１１８が接続されており、該伸張ＩＣ１１８には書き込み処理部１１９が接続されている。該書き込み処理部１１９は、プリンタ部１５０のＬＤ部（レーザダイオード）１５１に接続され、該ＬＤ部１５１の動作に用いられる書き込みデータの処理を行う。また、プリンタ部１５０は、プリンタ部１５０の全体（給紙、画像形成、排紙、後処理など）を制御するプリンタ制御部１５２を備えており、プリンタ制御部１５２は前記した画像処理ＣＰＵ１０１に接続されている。プリンタ制御部１５２は画像処理ＣＰＵ１０１の制御指令に従って動作してプリンタ部１５０を制御する。例えば、画像処理ＣＰＵ１０１は、給紙トレイを切り替える際には、プリンタ制御部１５２に指示して、給紙トレイの切り替えを実施する。また、プリンタ制御部１５２には、後処理装置（ＦＮＳ）１７０の後処理制御部１７１が接続されており、プリンタ制御部１５２を介して後処理装置（ＦＮＳ）１７０の制御が行われる。
【００２４】
また、前記ＤＲＡＭ制御ＩＣ１１１が接続されたＰＣＩバス１０３には、前記画像処理手段１６０のＤＲＡＭ制御ＩＣ１６１が接続されている。画像処理手段１６０では、ＤＲＡＭ制御ＩＣ１６１に、ＤＲＡＭなどで構成される画像メモリ１６２が接続されている。また、画像処理手段１６０では、共通バスに前記ＤＲＡＭ制御ＩＣ１６１と、画像処理手段１６０全体の制御を行うコントローラ制御ＣＰＵ１６３、ＬＡＮ制御部１６４が接続されている。ＬＡＮ制御部１６４は、図示しないＬＡＮに接続されている。
【００２５】
次に、上記画像形成装置１の基本的動作について説明する。
先ず、画像形成装置１において画像データを蓄積する手順について説明する。
第１に画像形成装置１において、スキャナ部１３０で画像を読み取り画像データを生成する場合について説明する。スキャナ部１３０において原稿からＣＣＤ１３１により画像を光学的に読み取る。この際には、画像処理ＣＰＵ１０１から指令を受けるスキャナ部制御部１３２によってＣＣＤ１３１の動作制御を行う。原稿の読み取りは、流し込みｔｙｐｅ自動原稿給送装置（ＡＤＦ１）１３３によって行ってもよく、また、プラテンガラス１３４上に原稿を置いて行ってもよい。
【００２６】
画像処理ＣＰＵ１０１はプログラムによって動作し、操作部１４０による操作に基づいてスキャナ部１３０への指令を発行する。ＣＣＤ１３１で読み取られた画像は、読み取り処理部１１６でデータ処理がなされ、データ処理された画像データは、圧縮ＩＣ１１７において所定の方法によって圧縮され、ＤＲＡＭ制御ＩＣ１１１を介して圧縮メモリ１２１に格納される。
【００２７】
この他に画像データは、例えば、ＬＡＮを介して画像形成装置１に入力される。上記画像データとしては、例えば外部装置（端末など）のアプリケーションプログラム等により生成されたものや他の画像形成装置により生成されたものが挙げられる。該データは、ＬＡＮ、ＬＡＮ制御部１６４を介して画像処理手段１６０で受信され、ＤＲＡＭ制御ＩＣ１６１によって画像メモリ１６２に一旦格納される。上記画像メモリ１６２のデータは、ＰＣＩバス１０３を介してＤＲＡＭ制御ＩＣ１１１に転送され、ページメモリ１２２に一旦格納される。ページメモリ１２２に格納されたデータは、ＤＲＡＭ制御ＩＣ１１１を介して圧縮ＩＣ１１１７に順次送られて圧縮処理され、ＤＲＡＭ制御ＩＣ１１１を介して圧縮メモリ１２１に格納される。
【００２８】
画像形成装置１で画像出力を行う場合、上記のようにして圧縮メモリ１２１に格納された画像データをＤＲＡＭ制御ＩＣ１１１を介して伸張ＩＣ１１８に送出してデータを伸張し、伸張したデータをＤＲＡＭ制御ＩＣ１１１を介して書き込み処理部１１９に送出して書き込みデータを生成し、ＬＤ部１５１において感光体への書き込みを行う。また、プリンタ部１５０では、画像処理制御部１０１の指令を受けたプリンタ制御部１５２によって給紙トレイ１５３、大容量給紙トレイ１５４、搬送路１５５などの各部の制御が行われる。すなわち、複数の給紙トレイ１５３、大容量給紙トレイ１５４の中から、ＪＯＢとしての転写紙情報（サイズ、紙種）が一致する給紙トレイを選択して給紙を行い、プリンタ部１５０において、画像形成、転写紙への転写、定着、搬送路１５５による後処理装置１７０への搬送、後処理装置１７０での後処理などが順次行われて印刷出力が行われる。なお、各給紙トレイの転写紙情報は、操作部１４０を介して予め設定しておき、不揮発メモリ１０２に格納しておく。画像処理ＣＰＵ１０１は、ＪＯＢの実行に際し、前記不揮発メモリ１０２に格納されたデータを読み出し、ＪＯＢで必要とされる給紙トレイを選択して、給紙を実行する。
【００２９】
なお、上記出力においては、印刷設定条件にしたがって通常コピーモードで出力を行う機能と、印刷状態を確認するために一部のみを出力する確認コピーモードの選択が可能になっている。該選択は、操作部１４０を介して行われる。
図３は、原稿を原稿読み取り部で読み取って画像データを取得し、３部の通常コピーを行う場合と、一部で確認コピーを行う場合のイメージを示す図である。この図では、通常コピー時と確認コピー時とで転写紙が切り替えられていることが示されている。
操作者は、原稿の読み込みを実施し、読み込み完了後、確認コピーを実施し出力物を確認する。その後、通常コピーを実施することができる。
【００３０】
なお、通常コピーモードと確認コピーモードの選択画面（図示しない）で確認コピーモードが選択されると、確認コピー時の出力方法を選択する画面が操作部１４０に表示される。
図４に示す該確認コピー出力設定画面１４００では、「あり」釦１４０１と、「なし」釦１４０２とが表示され、確認コピーモード時に転写紙を切り替えるか否かの選択が可能になる。「あり」釦１４０１が選択されると、確認コピー時の出力転写紙の切り替えが実施される。「なし」釦１４０２が選択されると、確認コピーモード実行時に、通常コピーモードで選択される転写紙と同じサイズの転写紙が選択される。
【００３１】
「あり」釦１４０１が選択されると、確認コピー時の出力時切り替え方法の選択が可能になる。該選択では、確認コピー出力設定画面１４００において、通常コピー時の断裁後の転写紙サイズを計算し、計算された紙サイズの転写紙サイズで確認コピーを出力する第１選択釦１４０３と、通常コピー時の画像印字（転写）領域を計算し、計算された紙サイズの転写紙サイズで確認コピーを出力する第２選択釦１４０４と、通常コピー時にワイド紙サイズが指定される場合に、該ワイド紙サイズに該当する定型サイズにて確認コピーを出力する第３選択釦１４０５を有している。これらの第１選択釦〜第３選択釦のいずれかを選択することで確認コピー時の給紙トレイ切り替え方法を選択することができる。図では、第１選択釦１４０３が選択されて反転表示されている状態を示している。
【００３２】
次に、確認コピーモードで、転写紙の切り替えが行われる場合の手順について、図５のフローチャートを用いて説明する。
先ず、図４に示す確認コピー出力設定画面１４００で確認コピーの出力設定を行う（ステップｓ１）。該設定画面１４００で出力設定を行った後、原稿読み取り部などによって画像データを取得し確認コピーを実施する（ステップｓ２）。確認コピーの実施に伴って、画像処理ＣＰＵ１０１では、確認コピー時の出力紙の切り替え（変更）を行う設定になっているか否かの判定がなされる（ステップｓ３）。該判定で確認コピー時に出力紙の変更設定がなければ（ステップｓ３、ＮＯ）、通常コピー時と同一の転写紙サイズにて確認コピーを実施し（ステップｓ８）、確認コピーを終了する（ステップｓ９）。
【００３３】
一方、確認コピー時の出力紙の変更が設定されている場合（ステップｓ３、ＹＥＳ）、確認コピー時の出力方法の設定内容を確認する（ステップｓ４）。該確認に基づいて、通常コピー時の断裁後の転写紙サイズを計算し、計算された紙サイズの転写紙サイズで確認コピーを出力する行程（ステップｓ５）、または通常コピー時の画像印字（転写）領域を計算し、計算された紙サイズの転写紙サイズで確認コピーを出力する行程（ステップｓ６）、もしくは通常コピー時にワイド紙サイズが指定される場合に、該ワイド紙サイズに該当する定型サイズにて確認コピーを出力する行程（ステップｓ７）が実行され、確認コピーを終了する（ステップｓ９）。
【００３４】
以下に、各出力方法（ステップｓ５〜ｓ７）における画像処理ＣＰＵ１０１の制御手順の詳細を図６のフローチャートを参照しつつ以下に説明する。
先ず、通常コピーの出力設定にて断裁設定がされているか否かの判定がなされる（ステップｓａ１）。断裁設定がなされていない場合（ステップｓａ１、ＮＯ）、通常コピーと同一設定の転写紙サイズにて確認コピーを実施し（ステップｓａ５）、手順を終了する。
一方、通常コピーの出力設定で断裁設定がされている場合（ステップｓａ１、ＹＥＳ）、断裁後の紙サイズが収容されている給紙トレイが存在するか否かの判定がなされる（ステップｓａ２）。断裁後の紙サイズの給紙トレイがある場合（ステップｓａ２、ＹＥＳ）、断裁後の紙サイズがある給紙トレイに切り替えて確認コピーを実施し（ステップｓａ３）、その後、手順を終了する。一方、断裁後の紙サイズの給紙トレイがない場合（ステップｓａ２、ＮＯ）、通常コピーと同一の紙サイズにて確認コピーを実施し（ステップｓａ４）、その後、手順を収容する。
【００３５】
図７は、ステップｓａ３で、断裁後の紙サイズがある給紙トレイに切り替えて確認コピーを行う際の出力状態の例を示す模式図である。
図７（ａ）に示した例では、原稿Ａ４、倍率等倍、転写紙不定形サイズ（３０３×２１３ｍｍ）、先端合せ、３方断裁３ｍｍが指定されており、転写紙不定形サイズ（３０３×２１３ｍｍ）の先端合せ出力し、後処理機で３方断裁（３ｍｍ）を実施し、最終系の出力物を得る。
確認コピー時には、後処理機での断裁を実施せず、出力する転写紙を断裁サイズのＡ４（２９７×２１０ｍｍ）に切り替えて出力し、最終系の出力物を得る。これにより確認コピー時には、白紙部分のない出力物が得られる。
【００３６】
図７（ｂ）に示した例では、原稿Ａ４、倍率０．７０７倍、小冊子、転写紙不定形サイズ（３０３×２１３ｍｍ）、３方断裁３ｍｍが指定されており、転写紙不定形サイズ（３０３×４２６）に小冊子出力し、後処理機で３方断裁（３ｍｍ）を実施し、最終系の出力物を得る。
確認コピー時には、後処理機での断裁を実施せず、出力する転写紙を断裁サイズのＡ３（２９７×４２０ｍｍ）に切り替えて小冊子出力し、最終系の出力物を得る。これにより確認コピー時には、白紙部分のない出力物が得られる。
【００３７】
次に、確認コピーの出力方法として、画像印字領域の転写紙サイズで出力する手順を図８のフローチャートに基づいて説明する。
先ず、通常コピーの出力時の画像印字領域を計算する（ステップｓｂ１）。次いで、画像印字領域の定形サイズが入っている給紙トレイが存在するか否かの判定を行う（ステップｓｂ２）。上記定形サイズの給紙トレイが存在する場合（ステップｓｂ２、ＹＥＳ）、画像印字領域サイズの定形紙サイズ紙が収納されている給紙トレイに切り替えて確認コピーを実施し（ステップｓｂ３）、その後終了する。
【００３８】
一方、画像印字領域の定形サイズが入っている給紙トレイが存在しない場合（ステップｓｂ２、ＮＯ）、画像印字領域の不定形サイズが入っている給紙トレイが存在するか否かの判定を行う（ステップｓｂ４）。該給紙トレイが存在すれば（ステップｓｂ４、ＹＥＳ）、画像印字領域の不定形サイズが入っている給紙トレイに切り替えて確認コピーを実施し（ステップｓｂ５）、終了する。
【００３９】
画像印字領域の不定形サイズが入っている給紙トレイが存在しない場合（ステップｓｂ４、ＮＯ）、通常コピーの紙サイズより小さく、画像印字領域サイズより大きな紙サイズが入っている給紙トレイが存在するか否かの判定を行う（ステップｓｂ６）。該給紙トレイが存在する場合（ステップｓｂ６、ＹＥＳ）、画像印字領域サイズより大きな紙サイズが入っている給紙トレイに切り替えて確認コピーを実施し（ステップｓｂ７）、終了する。該給紙トレイが存在しない場合（ステップｓｂ６、ＮＯ）、通常コピーと同一設定の転写紙サイズにて確認コピーを実施し（ステップｓｂ８）、終了する。
【００４０】
図９は、通常コピーの出力時の画像印字領域を計算し、該画像印字領域のサイズの転写紙に確認コピーを実施した出力状態の例を示す模式図である。この例では、Ａ４原稿（２９７×２１０ｍｍ）が縮尺指定（０．８６６倍）されて、Ａ４の転写紙（２９７×２１０ｍｍ）にＢ５サイズ（２５７×１８２ｍｍ）の画像印字領域で通常コピーされる。この結果、出力物には白紙出力部分が含まれる。この例では、確認コピーに際し、画像印字領域と同サイズのＢ５（２５７×１８２ｍｍ）の転写紙サイズに切り替えて実施される。このため、出力物には白紙出力部分が含まれておらず、転写紙の白紙部分が無駄にならない。
【００４１】
次に、確認コピーの出力方法として、通常コピーがワイド設定である場合に、該当する定形サイズで出力する手順を図１０のフローチャートに基づいて説明する。
先ず、通常コピーの出力設定がワイド紙設定であるか否かの判定がなされる（ステップｓｃ１）。通常コピーの出力設定がワイド紙設定でない場合（ステップｓｃ１、ＮＯ）、通常コピーと同一の紙サイズにて確認コピーを実施し（ステップｓｃ７）、その後終了する。一方、通常コピーの出力設定がワイド紙設定である場合（ステップｓｃ１、ＹＥＳ）、該ワイド紙サイズに該当する定形サイズが設定されている給紙トレイが存在するか否かの判定がなされる（ステップｓｃ２）。
【００４２】
上記ステップｓｃ２で該当給紙トレイが存在する場合（ステップｓｃ２、ＹＥＳ）、ワイド紙サイズに該当する定形サイズ紙が収容されている給紙トレイに切り替えて確認コピーを実施し（ステップｓｃ３）、その後、終了する。一方、通常コピー出力のワイド紙サイズに該当する定形サイズが設定されている給紙トレイが存在しない場合（ステップｓｃ２、ＮＯ）、通常コピー出力のワイド紙サイズに該当する不定形サイズ紙が設定されている給紙トレイが存在するか否かの判定を行う（ステップｓｃ４）。当該給紙トレイが存在する場合（ステップｓｃ４、ＹＥＳ）、該当する不定形サイズ紙が収納されている給紙トレイに切り替えて確認コピーを実施し（ステップｓｃ５）、その後、終了する。一方、当該給紙トレイが存在しない場合（ステップｓｃ４、ＮＯ）、通常コピーと同一の紙サイズにて確認コピーを実施し（ステップｓｃ６）、終了する。
【００４３】
図１１は、Ａ４原稿（２９７×２１０ｍｍ）の画像を、通常コピーでＡ４のワイド紙（３０３×２１６ｍｍ）に印刷する場合、該当する定形サイズの転写紙で確認コピーを実施する出力状態の例を示す模式図である。
通常コピーでは、位置合わせによって、前端合わせ、中央合わせ、後端合わせなどが行われる。この結果、通常コピー時は、白紙部分が含まれた物が出力される。確認コピー時には、ワイド紙（３０３×２１６ｍｍ）で指定されたサイズ（２９７×２１０ｍｍ）の定形サイズ（Ａ４）にて白紙部分がない状態で出力される。
以上本発明について、上記実施形態に基づいて説明を行ったが、本発明は、上記実施形態の説明に限定されるものではなく、本発明の範囲を逸脱しない限りは適宜の変更が可能である。
【図面の簡単な説明】
【００４４】
【図１】本発明の一実施形態の画像形成装置全体の機械的構成を示す中央断面図である。
【図２】同じく、画像形成装置全体の回路ブロック図である。
【図３】同じく、出力状態を示す概念図である。
【図４】同じく、確認コピー出力方法選択画面を示す図である。
【図５】同じく、確認コピー時の各出力方法の制御手順を示すフローチャートである。
【図６】同じく、確認コピー時に断裁サイズの転写紙に切り替える場合の制御手順を示すフローチャートである。
【図７】同じく、図６の手順による確認コピーの出力例を示す模式図である。
【図８】同じく、画像印字領域と同じサイズの転写紙にに切り替える場合の制御手順を示すフローチャートである。
【図９】同じく、図８の手順による確認コピーの出力例を示す模式図である。
【図１０】同じく、通常コピーがワイド設定の場合に、確認コピーを該当する定形サイズで出力する際の制御手順を示すフローチャートである。
【図１１】同じく、図１０の手順による確認コピーの出力例を示す模式図である。
【符号の説明】
【００４５】
１    画像形成装置
１０１  画像処理ＣＰＵ
１０２  不揮発メモリ
１３０  スキャナ部
１４０  操作部
１５０  プリンタ部
１５３  給紙トレイ
１５４  大容量給紙トレイ
【図１】
2009294588.tif 000003
【図２】
2009294588.tif 000004
【図３】
2009294588.tif 000005
【図４】
2009294588.tif 000006
【図５】
2009294588.tif 000007
【図６】
2009294588.tif 000008
【図７】
2009294588.tif 000009
【図８】
2009294588.tif 000010
【図９】
2009294588.tif 000011
【図１０】
2009294588.tif 000012
【図１１】
2009294588.tif 000013